(57)【要約】【課題】走査型眼底撮影光学系におけるアライメントを適正に行うことができる眼底撮影装置を提供すること。【解決手段】眼底撮影装置１は、走査型眼底撮影光学系２００ａを備えており、走査型眼底撮影光学系２００ａの受光素子２２５からの受光信号に基づいて眼底Ｅｒの正面画像を得る。また、眼底撮影装置１は、アライメント指標形成光学系４００を備える。アライメント指標形成光学系４００は、アライメント光を出射するための光源ユニット４０１を備えており、アライメント光を照射光学系２１０の光路を介して被検眼Ｅの角膜に向けて出射する。また、指標形成光学系４００は、被検眼Ｅと眼底撮影装置１との作動距離が適正作動距離である場合に、アライメント光の角膜反射像を受光素子２２５または撮像素子１４０５に結像させるために利用される。【選択図】図３
2017127597.tif 000002
【特許請求の範囲】
【請求項１】
照射光源，および，前記照射光源から発せられたレーザー光を被検眼の眼底上で走査するための光スキャナ，を備え、前記眼底にレーザー光を照射するための照射光学系と、
前記照射光学系によって照射されたレーザー光による前記眼底からの光を受光素子に受光させる受光光学系と、
を備える走査型眼底撮影光学系であって、前記受光素子からの受光信号に基づいて前記眼底の正面画像を取得するための走査型眼底撮影光学系、を備える眼底撮影装置であって、
アライメント光を出射するアライメント光源を有し、前記アライメント光を前記照射光学系の光路を介して被検眼の角膜に向けて出射すると共に、被検眼と前記眼底撮影装置との作動距離が予め定められた適正作動距離である場合に、前記アライメント光の角膜反射像を検出器に結像させるためのアライメント指標形成光学系を備えることを特徴とする眼底撮影装置。
【請求項２】
前記アライメント光源は、角膜の曲率半径の中心と角膜面との中間点と，前記適正作動距離である場合に光学的に共役となる位置に配置され、
前記検出器は、前記適正作動距離である場合に前記眼底と光学的に共役となる位置に配置される請求項１記載の眼底撮影装置。
【請求項３】
前記検出器は、前記受光光学系の受光素子であり、
前記アライメント指標形成光学系は、前記走査型眼底撮影光学系によって取得される撮像画像に前記アライメント指標を形成させる請求項１又は２記載の眼底撮影装置。
【請求項４】
前記アライメント指標形成光学系は、前記アライメント光源の投光光路が、前記光スキャナと被検眼との間の光路において前記照射光学系の光路と結合され、角膜で反射されたアライメント光は、前記光スキャナによって走査された後、前記受光素子に受光されることを特徴とする請求項３記載の眼底撮影装置。
【請求項５】
前記アライメント光源は、前記指標形成光学系の光軸方向に関して異なる位置に複数設けられていることを特徴とする請求項１〜４のいずれかに記載の眼底撮影装置。
【請求項６】
前記アライメント光源は、前記指標形成光学系の光軸方向に関する第１の位置に配置された少なくとも一つの第１のアライメント光源と、前記指標形成光学系の光軸方向に関して第１の位置とは異なる第２の位置に配置された少なくとも一つの第２のアライメント光源と、を備えることを特徴とする請求項１〜５のいずれかに記載の眼底撮影装置。
【請求項７】
前記第１のアライメント光源と前記第２のアライメント光源は、さらに、前記指標形成光学系の光軸に直交する方向に関して異なる位置に配置されていることを特徴とする請求項６記載の眼底撮影装置。
【請求項８】
前記アライメント指標形成光学系は、前記受光素子とは別体に設けられた撮像素子を有し、作動距離方向のアライメント状態に応じた結像状態で前記アライメント指標像が前記撮像素子によって撮像される請求項１又は２記載の眼底撮影装置。
【請求項９】
前記アライメント光源は、前記照射光源から出射されるレーザー光とは、異なる波長域の光を、前記アライメント光と出射し、
前記アライメント指標形成光学系の光路と、前記走査型眼底撮影光学系の光路と、を結合および分離する光路結合部であって、前記レーザー光および前記アライメント光のうち一方を透過し、他方を反射する分光特性を持つ光路結合部を備える請求項８記載の眼底撮影装置。
【請求項１０】
前記走査型眼底撮影光学系は、被検眼の視度を補正するための視度補正光学系を、前記照射光学系および前記受光光学系の少なくともいずれかに含み、
前記光路結合部は、前記視度補正光学系と被検眼との間の光路に配置される請求項９記載の眼底撮影装置。
【請求項１１】
前記アライメント光源は、前記アライメント指標形成光学系の光軸から離れた位置に配置され、
前記アライメント光が角膜を介さずに前記撮像素子に照射されることを妨げるための遮光領域と、前記アライメント指標形成光学系の光軸近傍を通過する前記アライメント光の角膜反射光を前記撮像素子に導くための開口と、が形成されたアパーチャを有する請求項９または１０に記載の眼底撮影装置。
【請求項１２】
被検眼からの測定光と参照光との干渉信号を受光して前記被検眼の断層像を取得するためのＯＣＴ光学系と、
前記前記ＯＣＴ光学系と前記走査型眼底撮影光学系の光路と結合させるための光路結合部と、
を備え、被検眼に対する前記ＯＣＴ光学系のアライメントは、前記撮像画像に形成されたアライメント指標を用いて行われることを特徴とする請求項１〜１１のいずれかに記載の眼底撮影装置。
【発明の詳細な説明】
【技術分野】
【０００１】
本開示は、被検眼の眼底を撮影する眼底撮影装置に関する。
【背景技術】
【０００２】
眼底撮影装置の一つとして、被検眼の眼底上で二次元的にレーザー光を走査することによって眼底画像を得る走査型レーザー検眼鏡が知られている。この種の装置において、レーザー光の走査には、光の進行方向を変位させる光スキャナが使用される（特許文献１参照）。
【先行技術文献】
【特許文献】
【０００３】
【特許文献１】特開２０１４−１００１７５号公報
【発明の概要】
【発明が解決しようとする課題】
【０００４】
ところで、走査型レーザー検眼鏡における被検眼に対するアライメントは、眼底正面画像の周辺部の明るさを頼りに行っていた。この場合、例えば、作動距離の精度が落ちてしまう可能性があり、撮影倍率の変動が大きくなり、眼底解析において問題となりうる。
【０００５】
本開示は、上記従来技術の問題点に鑑みてなされたものであり、走査型眼底撮影光学系におけるアライメントを適正に行うことができる眼底撮影装置を提供することを技術課題とする。
【課題を解決するための手段】
【０００６】
本開示の第１態様に係る眼底撮影装置は、照射光源，および，前記照射光源から発せられたレーザー光を被検眼の眼底上で走査するための光スキャナ，を備え、前記眼底にレーザー光を照射するための照射光学系と、前記照射光学系によって照射されたレーザー光による前記眼底からの光を受光素子に受光させる受光光学系と、を備える走査型眼底撮影光学系であって、前記受光素子からの受光信号に基づいて前記眼底の正面画像を取得するための走査型眼底撮影光学系、を備える眼底撮影装置であって、アライメント光を出射するアライメント光源を有し、前記アライメント光を前記照射光学系の光路を介して被検眼の角膜に向けて出射すると共に、被検眼と前記眼底撮影装置との作動距離が予め定められた適正作動距離である場合に、前記アライメント光の角膜反射像を検出器に結像させるためのアライメント指標形成光学系を備える。
【発明の効果】
【０００７】
本開示によれば、走査型眼底撮影光学系におけるアライメントを適正に行うことができる。
【図面の簡単な説明】
【０００８】
【図１】各実施形態における眼底撮影装置の外観における概略構成を示した図である。
【図２】眼底撮影装置の光学系および制御系の概略構成を示した図である。
【図３】第１実施形態に係るＳＬＯ光学系および指標形成光学系の概略構成を示した図である。
【図４】光源ユニットの詳細を示した図であり、（ａ）は、光源ユニットを被検眼側から見たときの正面図であり、（ｂ）は、光軸方向における各光源の位置を示した図である。
【図５】アライメント指標像が映り込んだ眼底像の一例を示した図である。
【図６】（ａ）〜（ｃ）は、適正な作動距離およびその近傍である場合においてモニタ上に表示されるアライメント指標像のパターンをそれぞれ示し、（ｄ）は、（ｂ）に対し、装置が被検眼に対して左右方向にズレたときのアライメント指標像を示す。
【図７】ＯＣＴ光学系によって取得される断層画像（Ｂスキャン画像）の一例を示した図である。
【図８】第２実施形態に係る光学系を例示した図である。
【図９】アライメント指標形成光学系の第１の変容例を示した図である。
【図１０】アライメント指標形成光学系の第２の変容例を示した図である。なお、（ａ）は、光学系の概略構成を示し、（ｂ）は、該変容例におけるレゾナントスキャナのミラー部分を示す。
【図１１】アライメント指標形成光学系の第３の変容例を示した図である。
【発明を実施するための形態】
【０００９】
以下、図面を参照しつつ、本開示の典型的な実施形態を説明する。図１は、実施形態に係る眼底撮影装置１の外観構成を例示している。眼底撮影装置１は、走査型レーザー検眼鏡（Ｓｃａｎｎｉｎｇ  Ｌａｓｅｒ  Ｏｐｔｈａｌｍｏｓｃｏｐｅ：ＳＬＯ）の構成を備える。また、本実施形態の眼底撮影装置１は、光干渉断層計（ＯＣＴ：Ｏｐｔｉｃａｌ  Ｃｏｈｅｒｅｎｃｅ  Ｔｏｍｏｇｒａｐｈｙ）と一体化された装置である。
【００１０】
図１に示すように、本実施形態の眼底撮影装置１は、撮影部１０、基台１１、顔支持ユニット１２、移動台１３、スイングチルト機構１４、ジョイスティック１５、を一例として有する。撮影部１０には、被検眼Ｅの画像を取得するための光学系が格納されている（詳細は、図２及び図３を参照して後述する）。
【００１１】
基台１１は、眼底撮影装置１の各部を支持する。基台１１には、移動台１３が積載されている。また、本実施形態において、顔支持ユニット１２が基台１１に固定されている。顔支持ユニット１２は、被検者の顔を支持することによって、被検眼Ｅを検査窓（例えば、対物レンズ系２１７）に向き合わせる。顔支持ユニット１２は、顔を支持する高さを調節する調節機構（図示せず）を有する。移動台１３は、メカニカル（つまり、電動機構を用いず機械的動作により）な摺動機構を備えており、基台１１に対して左右方向（Ｘ方向）および前後方向（Ｚ方向、例えば、作動距離方向）に移動する。その結果、移動台１３に積載される撮影部１０も前後左右に移動される。なお、ＸＺアライメント機構としては、メカニカルな機構に限定されず、撮影部１０を電動駆動によって移動させる移動機構が設けられてもよい。さらに、移動台１３には、撮影部１０を上下方向（Ｙ方向）に移動させるための電動上下動機構が設けられている。もちろん、上下動機構は、メカニカルな機構であってもよい。
【００１２】
ジョイスティック１５は、移動台１３を水平方向に移動させるための手動操作部として用いられる。検者によりジョイスティック１５が傾けられた方向に移動台１３は移動され、結果として、撮影部１０が水平方向に移動される。さらに、ジョイスティック１５に設けられた回転ノブが回転されると、上下動機構が駆動され、撮影部１０が上下方向に移動される。
【００１３】
次に、図２を参照して、眼底撮影装置１の光学系について説明する。眼底撮影装置１は、干渉光学系（ＯＣＴ光学系）１００と、ＳＬＯ光学系２００と、固視標投影ユニット３００と、アライメント指標形成光学系４００（図３参照）と、演算制御部７０と、を有している。なお、図２において、アライメント指標形成光学系４００は、ＳＬＯ光学系２００に含まれている。
【００１４】
＜ＯＣＴ光学系＞
ＯＣＴ光学系１００は、測定光源１０２から発せられた光を被検眼Ｅ上で走査するための光スキャナ１０８と、測定光源１０２から発せられた測定光と参照光との干渉信号を検出する検出器１２０と、を持つ。また、検出器１２０からの受光信号に基づいて被検眼Ｅの断層像が制御部７０によって取得される。また、本実施形態において、ＯＣＴ光学系１００は、カップラー１０４、測定光学系１０６、及び参照光学系１１０を持つ。測定光源１０２は、ＯＣＴ光源であり、例えば、低コヒーレント光源、波長可変光源等が用いられる。カップラー１０４は、光分割部材と光結合部材として用いられる。測定光源１０２から出射された光は、カップラー（光分割器）１０４によって測定光（試料光）と参照光とに分割される。測定光は、測定光学系１０６によって被検眼Ｅの眼底Ｅｒに導かれる。また、カップラー１０４にて分割された参照光は、参照光学系１１０に導かれる。
【００１５】
測定光学系１０６において、カップラー１０４から射出された測定光は、光スキャナ１０８に入射する。光スキャナ１０８では、測定光の走査が行われる。例えば、光スキャナ１０８は、眼底上で二次元的（ＸＹ方向（横断方向））に測定光を走査させる。光スキャナ１０８は、瞳孔と略共役な位置に配置される。光スキャナ１０８としては、光を偏向させる構成であればよい。例えば、反射ミラー（ガルバノミラー、ポリゴンミラー、レゾナントスキャナ）の他、光の進行（偏向）方向を変化させる音響光学素子（ＡＯＭ）等が用いられてもよい。
【００１６】
光スキャナ１０８によって走査された測定光は、ダイクロイックミラー１０９で反射された後、対物光学系（例えば、図２の例における対物レンズ系２１７）を経て、被検眼Ｅに入射する。測定光は、眼底Ｅｒにて反射されることによって、測定光学系１０６を逆進する。その結果、測定光はカップラー１０４に戻され、検出器１２０に導かれる。
【００１７】
参照光学系１１０は、眼底Ｅｒでの測定光の反射によって取得される反射光と合成される参照光を生成する。参照光学系１１０は、マイケルソンタイプであってもよいし、マッハツェンダタイプであっても良い。参照光学系１１０は、例えば、反射光学系（例えば、参照ミラー）によって形成され、カップラー１０４からの光を反射光学系により反射することにより再度カップラー１０４に戻し、検出器１２０に導く。他の例としては、参照光学系１１０は、透過光学系（例えば、光ファイバー）によって形成され、カップラー１０４からの光を戻さず透過させることにより検出器１２０へと導く。
【００１８】
参照光学系１１０は、参照光路中の光学部材を移動させることにより、測定光と参照光との光路長差を変更する構成を有する。例えば、参照ミラーが光軸方向に移動される。光路長差を変更するための構成は、測定光学系１０６の測定光路中に配置されてもよい。
【００１９】
検出器１２０は、測定光と参照光との干渉状態を検出する。例えば、フーリエドメインＯＣＴの場合では、干渉光のスペクトル強度が検出器１２０によって検出され、スペクトル強度データに対するフーリエ変換によって所定範囲における深さプロファイル（Ａスキャン信号）が取得される。なお、検出器１２０は、必ずしもこれに限定されるものではない。例えば、Spectral-domain OCT（ＳＤ−ＯＣＴ）、Swept-source OCT（ＳＳ−ＯＣＴ）、Time-domain OCT（ＴＤ−ＯＣＴ）に使用する検出器であってもよい。
【００２０】
＜ＳＬＯ光学系＞
次に、図３を参照して、ＳＬＯ光学系２００について説明する。図３は、本開示の第１実施形態に係るＳＬＯ光学系２００の一例を示す。ＳＬＯ光学系２００は、眼底Ｅｒの正面画像を得る走査型眼底撮影光学系の一例である。より詳細には、ＳＬＯ光学系は、共焦点走査型眼底撮影光学系である。ＳＬＯ光学系２００は、投光光学系２１０と、受光光学系２２０と、アライメント指標形成光学系４００と、を有する。
【００２１】
投光光学系２１０は、例えば、被検眼Ｅの眼底Ｅｒにレーザー光（照明光）を照射するために用いられてもよい。例えば、投光光学系２１０には、レーザー光出射部２１１、集光レンズ２１２、穴開きミラー２１３、レンズ２１４、レンズ２１５、走査部２１６、ハーフミラー４０３、ダイクロイックミラー３０１、ダイクロイックミラー１０９、および、対物光学系（例えば、対物レンズ系２１７）が含まれる。なお、本実施形態において、、対物光学系（例えば、対物レンズ系２１７）は、ＯＣＴ光学系１００と共用される（後述する受光光学系１７においても同様）。
【００２２】
レーザー光出射部２１１は、投光光学系２１０の光源として用いられてもよい。例えば、レーザー光出射部２１１には、レーザー光を出射する光源（例えば、レーザダイオード（LD）、スーパールミネッセントダイオード（SLD）等）がＳＬＯ光源として設けられていてもよい。以下、レーザー光出射部２１１は、単色光（より詳細には、赤外光）を出射する光源を有するものとして説明する。但し、必ずしもこれに限られるものではない。例えば、レーザー光出射部２１１は、複数の光源を有していてもよく、この場合、複数色の光を同時に、又は選択的に出射する構成であってもよい。また、レーザー光出射部２１１から出射される光の波長も、赤外域に限らず、例えば、可視域等の波長であってもよい。
【００２３】
レーザー光出射部２１１から出射されるレーザー光は、図３において実線で示した経路にて眼底Ｅｒに導かれる。つまり、レーザー光出射部２１１からのレーザー光は、集光レンズ２１２を経て穴開きミラー２１３に形成された開口部２１３ａを通り、レンズ２１４およびレンズ２１５を介した後、走査部２１６に向かう。走査部２１６によって反射されたレーザー光は、ハーフミラー４０３、ダイクロイックミラー３０１、ダイクロイックミラー１０９を通過して、対物レンズ系２１７に照射される。レーザー光は、対物レンズ系２１７によって、被検眼Ｅの眼底Ｅｒにて集光される。その結果として、眼底Ｅｒで反射・散乱される光が瞳孔から出射される。
【００２４】
なお、本実施形態において、レンズ２１４は、駆動機構２１４ａによって、光軸Ｌ１方向へ移動可能に構成されている。レンズ２１４の位置に応じて、投光光学系２１０および受光光学系２２０の視度が変わる。本実施形態では、レンズ２１４の位置を調節することによって、被検眼Ｅの視度を補正する。その結果として、レーザー光の集光位置を眼底Ｅｒの観察部位（例えば、網膜表面）に調節することができる。
【００２５】
走査部２１６は、照射光源（本実施形態では、レーザー光出射部２１１）から発せられたレーザー光を被検眼Ｅの眼底上で走査するために用いられてもよい。本実施形態において、走査部２１７は、レーザー光出射部２１１から導かれたレーザー光の進行方向を変える（レーザー光を偏向する）光スキャナを有するユニットである。一例として、走査部２１６は、レゾナントスキャナ２１６ａと、ガルバノミラー２１６ｂと、を有している。図３に示すように、各光スキャナは、例えば、照射光学系２１０の光路と受光光学系２２０の光路を分岐するための光路分岐部材（本実施形態では、反射ミラー２１３）よりも被検眼側に配置される。本実施形態では、レゾナントスキャナ２１６ａによって、Ｘ方向にレーザー光の主走査が行われる。また、ガルバノミラー２１６ｂによって、Ｙ方向にレーザー光の副走査が行われる。なお、レゾナントスキャナとガルバノミラーとを入れ替えて配置しても良い。すなわち、図３において２１６ｂをレゾナントスキャナとしてＸ方向の主走査を行い、２１６ａをガルバノミラーとしてＹ方向の副走査を行なうことも可能である。走査部２１６の光スキャナとしては、例えば、反射ミラー（ガルバノミラー、ポリゴンミラー、レゾナントスキャナ）の他、光の進行（偏向）方向を変化させる音響光学素子（ＡＯＭ）等が用いられてもよい。
【００２６】
対物レンズ系２１７は、走査部２１６によって走査されたレーザー光を眼底Ｅｒに導く。また、対物レンズ系２１７は、走査部２１６を経たレーザー光が旋回される旋回点を形成する。本実施形態において、旋回点は、対物レンズ系２１７の光軸Ｌ３上であって、対物レンズ系２１７に関して走査部２１６（例えば、レゾナントスキャナ２１６ａとガルバノミラー２１６ｂとの中間点）と光学的に共役な位置に形成される。対物レンズ系２１７を通過したレーザー光は、走査部２１６の動作に伴って旋回点を中心に旋回される。このため、旋回点が瞳孔（例えば、図３におけるＣ近傍の位置）に形成されるように、被検眼Ｅと装置との作動距離が調整されることで、眼底Ｅｒ上でレーザー光が２次元的に走査される。眼底Ｅｒに照射されたレーザー光は、集光位置（例えば、網膜表面）にて反射される。眼底Ｅｒによる反射光は、平行光として瞳孔から出射する。
【００２７】
なお、図３において、対物レンズ系２１７は、便宜上、２枚の対物レンズで構成される光学系として図示しているが、１枚のレンズによって構成されてもよいし、３枚以上のレンズによって構成されてもよい。また、対物レンズ系２１７には、複数のレンズを張り合わせた接合レンズ、および非球面レンズ等が使用されてもよい。また、対物光学系としては、対物レンズ系２１７に限られるものではなく、例えば、ミラー系が適用されてもよい。
【００２８】
次に、受光光学系２２０について説明する。受光光学系２２０は、投光光学系２１０からのレーザー光に伴う眼底Ｅｒからの光を受光素子２２５で受光する。本実施形態の受光光学系２２０は、レンズ２２１、ピンホール板２２３、レンズ２２４、および、受光素子２２５、を有する。ピンホール板２２３は、眼底Ｅｒと共役な位置に配置されており、共焦点絞りとして機能する。また、受光光学系２２０は、対物レンズ系２１７から穴開きミラー２１３までに配置された各部材を、投光光学系２１０と共用している。その結果として、本実施形態では、被検眼Ｅから穴開きミラー２１３までの光路が、投光光学系２１０および受光光学系２２０の共通部分として形成されている。
【００２９】
被検眼Ｅの眼底Ｅｒにレーザー光が照射される場合、眼底Ｅｒにて反射又は散乱された光は、図３にて破線で示す光線の経路で、受光素子２２５に導かれる。まず、眼底からの光は、瞳孔から取り出された光は、前述した投光光学系２１０を逆に辿り、穴開きミラー２１３に達する。
【００３０】
本実施形態において、穴開きミラー２１３は、投光光学系２１０および受光光学系２２０の共通光路を経由した眼底Ｅｒからの光を分岐させる光路分岐部材である。穴開きミラー２１３によって、眼底Ｅｒからの光は、受光側光路（ここでは、光軸Ｌ２方向に沿う光路）と光源側光路（ここでは、光軸Ｌ１に沿う光路）とに分岐する。
【００３１】
図３に示すように、穴開きミラー２１３によって反射された光は、レンズ２２１によって集光される。レンズ２１４による視度補正が適正に行われた場合において、レンズ２２１を介した光は、ピンホール板２２３のピンホール（つまり、開口）に集光する。つまり、この場合、ピンホール２２３が眼底共役位置に配置される。ピンホール２２３を経た光は、レンズ２２４を介して受光素子２２５によって受光される。なお、本実施形態では、受光素子２２５として、赤外域に感度を持つＡＰＤ（アバランシェフォトダイオード）が用いられている。１フレーム分のレーザー光の走査が走査部２１６によって行われる度に、受光素子２２５から出力される１フレーム分の受光信号が画像処理部によって処理され、その結果、１フレームの眼底の正面画像が生成される。
【００３２】
＜アライメント指標形成光学系＞
本開示の各実施形態において、アライメント指標形成光学系（以下、指標形成光学系）４００は、アライメント光を出射するためのアライメント光源（図３の例では、光源ユニット４０１）を備え、アライメント光を照射光学系２１０の光路を介して被検眼Ｅの角膜に向けて出射する。また、指標形成光学系４００は、被検眼Ｅと眼底撮影装置１との作動距離が適正作動距離である場合に、アライメント光の角膜反射像を検出器に結像させるために利用される。検出器は、ＳＬＯ画像を取得するためにレーザー光の眼底反射光を受光する受光素子２２５と、兼用されてもよいし、別体であってもよい。
【００３３】
図３には、第１実施形態に係る指標形成光学系４００の具体例として、受光素子２２５が検出器として兼用される構成が示されている。図３の例において、指標形成光学系４００は、ＳＬＯ光学系２００によって取得されるＳＬＯ画像上にアライメント指標像を形成させるために用いられる。この場合、角膜によって反射されたアライメント指標光が、受光光学系２２０の受光素子２２５によって受光されてもよい。その結果として、走査部２１６の走査によって取得されるＳＬＯ画像上には、アライメント指標が形成される。ＳＬＯ画像に含まれるアライメント指標は、モニタ７５上で観察され、被検眼Ｅに対する手動アライメントに用いられてもよい。
【００３４】
例えば、指標形成光学系４００は、アライメント光源から被検眼Ｅの角膜面にアライメント用の指標光束（アライメント光）を投光する。その結果として、アライメント光は、角膜で反射され、走査部２１６によって走査された後、受光素子２２５よって受光される。また、指標形成光学系４００は、予め設定された適正作動距離に設定された場合において、角膜の曲率半径の中心と角膜面との中間点Ｃに向かって指標光が入射するように設定されている。即ち、適正作動距離である場合において、中間点Ｃとの共役位置に、アライメント光源が配置される。これによって、適正な作動距離で被検眼Ｅに対して装置が配置される場合に、アライメント光は、中間点Ｃに向かって入射する。中間点Ｃに向かって入射されたアライメント光が角膜によって反射されることによって平行光束に変換され、結果的に、対物レンズ系２１７〜レンズ２２１を経て、ピンホール２２３にて集光された後、受光素子２２５によって受光される。
【００３５】
また、第１実施形態では、予め設定された適正作動距離に設定された場合において、アライメント光源から角膜で反射されるアライメント光が受光光学系２２０によって結像される位置と、レーザー光の眼底反射光が受光光学系２２０によって結像される位置とは、同一面である。故に、眼底撮影装置１では、アライメント指標像と眼底の正面画像（つまり、ＳＬＯ画像）とが同時に観察可能となる。
【００３６】
なお、作動距離は、被検眼１と眼底撮影装置との距離として規定される。より詳細には、被検眼Ｅの角膜面と装置の検査窓（例えば、対物レンズ系１７の最も被検眼Ｅに近いレンズ面）との距離として規定されてもよい。また、光学的に予め設定される適正作動距離について、ＳＬＯ光学系２００を用いて正面像を取得する場合と、ＯＣＴ光学系１００を用いて断層像を取得する場合とで適正作動距離が同じとなるように設定されてもよい。
【００３７】
より詳細には、図３に示すように、第１実施形態において、指標形成光学系４００は、例えば、光源ユニット４０１と、レンズ４０２と、を有してもよい。また、指標形成光学系４００は、ハーフミラー４０３と、ダイクロイックミラー３０１と、ダイクロイックミラー１０９と、対物レンズ系２１７と、を投光光学系２１０と共用する。光源ユニット４０１およびレンズ４０２は、例えば、ＳＬＯ光学系２００の光路外に配置されてもよい。より詳細には、光源ユニット４０１およびレンズ４０２は、走査部２１６から被検眼Ｅに導かれるレーザー光の通過領域の外側に配置されてもよい。
【００３８】
ハーフミラー４０３は、光源から出射されたアライメント光を、ＳＬＯ光学系２００の光路に導くための光路結合部として用いられる。このような光路結合部は、例えば、ＳＬＯ光学系２００の光路中に配置される。本実施形態のハーフミラー４０３は、光源から出射されるアライメント光の光路を、走査部２１６と被検眼Ｅとの間の光路において照射光学系２１０の光路と結合する。また、ハーフミラー４０３のように、光路結合部は、照射光学系２１０のレーザー光を透過する光学特性を備える。
【００３９】
光源ユニット４０１は、アライメント指標を形成するアライメント光を出射する。光源ユニット４０１の光束出射位置は、作動距離が適正であるときに、レンズ４０２および対物レンズ系２１７に関して中間点Ｃと略共役な位置関係である。本実施形態において、アライメント光は、受光素子２２５が感度を持つ赤外域の光とする。このアライメント光は、レンズ４０２を介してハーフミラー４０３によって反射される。
【００４０】
ハーフミラー４０３は、アライメント光を反射することによって、アライメント光を投光光学系２１０の光路中に導く。ハーフミラー４０３によって反射されたアライメント光は、ダイクロイックミラー３０１およびダイクロイックミラー１０９を経て、対物レンズ系２１７を通過し、被検眼Ｅの角膜面に照射される。このとき、アライメント光の光路は走査部２１６と被検眼Ｅとの間で合流されるので、アライメント光は走査部２１６によって変位されず、角膜面上で静止する。
【００４１】
また、アライメント指標像は、装置と被検眼ＥとのＸＹ方向のアライメントにも利用できる。アライメント指標像は、被検眼Ｅの略一定の位置（例えば、本実施形態では、角膜頂点付近）に現れる。例えば、図６（ｄ）は、被検眼Ｅの角膜頂点が観察光軸に対して横方向にズレたときのアライメント指標像の表示態様を示している。モニタ７５上のアライメント指標像の現出位置によって被検眼Ｅの角膜頂点と観察光軸との位置関係が示される。よって、検者は、アライメント指標像の現出位置に応じて装置と被検眼ＥとをＸＹ方向に相対的に移動させることによって、装置と被検眼ＥとのＸＹ方向の位置関係を調節できる。例えば、図６（ｄ）の場合は、観察光軸に対して角膜頂点が右側にズレているので、装置を右側に移動させることによって、被検眼Ｅに対する装置の位置を適正化できる。
【００４２】
測定部１０と角膜面との作動距離が適正である場合には、角膜面で反射されるアライメント光は、受光光学系２２０における眼底共役位置で結像される。その結果、受光素子２２５の受光信号に基づいて生成される正面画像において、静止した状態のアライメント指標像Ｐが形成される（例えば、図５参照）。
【００４３】
本実施形態において、指標形成光学系４００は、複数の光源を備えてもよい（図４参照）。例えば、複数の光源は、指標形成光学系４００の光軸Ｌ４に直交する方向に関して、異なる位置に設けられてもよい。また、複数の光源は、光軸Ｌ４方向に関して、異なる位置に設けられてもよい。
【００４４】
図４を参照して、本実施形態の光源ユニット４０１の具体的構成を示す。図４（ａ）に示すように、本実施形態の光源ユニット４０１は、指標形成光学系４００の光軸Ｌ４と直交する方向に関して異なる位置に配置された複数（本実施形態では、９個）のアライメント光源４０１ａ〜４０１i（以下、光源４０１ａ〜４０１iと省略する）を含む。本実施形態において、光源４０１ａ〜４０１ｉは、光軸Ｌ４方向から見て、縦３列、横３列のマトリクス状に配置される。
【００４５】
また、光源ユニット４０１は、共通の赤外光源（例えば、ＬＥＤ）と、赤外光源からの光を光軸Ｌ４方向に導光する９本の光ファイバと、を有している。よって、９個の光源４０１ａ〜４０１ｉは、同時に点灯される。各光ファイバの出射端によって、光源４０１ａ〜４０１ｈの各々が形成される。
【００４６】
図４（ｂ）に示すように、光源４０１ａ〜４０１ｉには、光軸Ｌ４方向に関する第１の位置に配置された少なくとも一つの第１のアライメント光源と、光軸Ｌ４方向に関して第１の位置とは異なる第２の位置に配置された少なくとも一つの第２のアライメント光源と、を含む。
【００４７】
図４に示す光源４０１ｄ，４０１ｅ，４０１ｆが、本実施形態における第１のアライメント光源である。光源４０１ｄ，４０１ｅ，４０１ｆは、平面ｍ上から光を出射する。平面ｍは、光軸と直行し、且つ、適正な作動距離であるときに対物レンズ系２１７を介して瞳孔と略共役な位置（より詳細には、中間点Ｃと共役な位置）に配置される面である。本実施系において、光源４０１ｄ，４０１ｅ，４０１ｆの光ファイバの出射端が平面ｍ上に形成されることによって、各光源４０１ｄ，４０１ｅ，４０１ｆは平面ｍ上からアライメント光を出射する。
【００４８】
図４に示す光源４０１ａ〜４０１ｃ，４０１ｇ〜４０１iが、本実施形態における第２のアライメント光源である。これらの光源は、平面ｍ（又は光源４０１ｄ，４０１ｅ，４０１ｆ）とは光軸方向に前後する位置から光を出射する。より詳細には、アライメント光源４０１ａ，４０１ｃ，４０１ｈは、平面ｍに対して被検眼Ｅに近い平面ｎ上から光を出射する。また、アライメント光源４０１ｂ，４０１ｇ，４０１ｉは、平面ｍに対して被検眼Ｅから遠い平面ｌ上から光を出射する。つまり、アライメント光源４０１ａ，４０１ｃ，４０１ｈの光ファイバの出射端が平面ｎ上に、また、アライメント光源４０１ｂ，４０１ｇ，４０１ｉの光ファイバの出射端が平面ｌ上にそれぞれ形成されている。なお、本実施形態において、各々の光ファイバには、コア径２５０μｍのものが使用される。隣り合うアライメント光源の間隔は、１ｍｍ程度である。また、平面ｍと平面ｌ、平面ｍと平面ｎの間隔は、いずれも２ｍｍ程度である。但し、これらの値は、一例に過ぎず、必ずしもこれに限定されるものではない。
【００４９】
なお、本実施形態において、光源ユニット４０１の中央部（つまり、光源４０１ｅ）から出射される光束は、ハーフミラー４０３によって観察光軸上に導光される。また、光源ユニット４０１の周辺部（つまり、光源４０１ａ〜ｄ，ｆ〜ｉ）から出射される光束は、観察光軸に対して斜め方向に導光される。
【００５０】
＜固視標投影ユニット＞
固視標投影ユニット３００は、眼Ｅの視線方向を誘導するための光学系を有する。投影ユニット３００は、眼Ｅに呈示する固視標を有し、複数の方向に眼Ｅを誘導できる。
【００５１】
例えば、固視標投影ユニット３００は、可視光を発する可視光源を有し、視標の呈示位置を二次元的に変更させる。これにより、視線方向が変更され、結果的に撮像部位が変更される。例えば、撮影光軸と同方向から固視標が呈示されると、眼底の中心部が撮像部位として設定される。また、撮影光軸に対して固視標が上方に呈示されると、眼底の上部が撮像部位として設定される。すなわち、撮影光軸に対する視標の位置に応じて撮影部位が変更される。
【００５２】
固視標投影ユニット３００としては、例えば、マトリクス状に配列されたＬＥＤの点灯位置により固視位置を調整する構成、光源からの光を光スキャナを用いて走査させ、光源の点灯制御により固視位置を調整する構成、等、種々の構成が考えられる。また、投影ユニット３００は、内部固視灯タイプであってもよいし、外部固視灯タイプであってもよい。
【００５３】
＜制御部＞
制御部７０は、各構成１００〜４００の各部材など、装置全体を制御する。また、制御部７０は、取得された画像を処理する画像処理部、取得された画像を解析する画像解析部、などを兼用する。制御部７０は、一般的なＣＰＵ（Central Processing Unit）等で実現される。
【００５４】
例えば、制御部７０は、ＯＣＴ光学系１００の検出器１２０から出力される受光信号に基づいて画像処理により断層像を取得する。また、制御部７０は、ＳＬＯ光学系２００の受光素子２２５から出力される受光信号に基づいて正面像を取得する。また、制御部７０は、指標形成光学系４００の光源の点灯状態を制御する。また、制御部７０は、固視標投影ユニット３００を制御して固視位置を変更する。
【００５５】
メモリ（記憶部）７２、モニタ７５、コントロール部（操作部）７４は、それぞれ制御部７０と電気的に接続されている。制御部７０は、モニタ７５の表示画面を制御する。取得された眼底像は、モニタ７５に静止画又は動画として出力される他、メモリ７２に記憶される。メモリ７２は、例えば、撮影された断層像（例えば、三次元断層像）、正面画像、各断層像の撮影位置情報等の撮影に係る各種情報を記録する。また、メモリ７２は、眼科撮影装置の動作を制御するための制御プログラム（眼科撮影プログラム）を記憶している。
【００５６】
制御部７０は、操作部７４から出力される操作信号に基づいて、ＯＣＴ光学系１００、ＳＬＯ光学系２００、固視標投影ユニット３００の各部材を制御する。操作部７４は、検者によって操作される操作部材としてマウス７４ａ等が接続されている。
【００５７】
モニタ７５は、装置本体に搭載された表示モニタであってもよいし、装置本体とは別体の汎用の表示モニタであってもよい。また、これらが併用された構成であってもよい。
【００５８】
次に、以上のような構成を持つ、本装置の動作について説明する。
【００５９】
＜被検眼に対する装置のアライメント＞
アライメントに際して、検者は、顔支持ユニット１２に被検者Ｅの顔を固定させる。また、固視標投影ユニット３００によって被検眼Ｅを固視させる。制御部７０は、ＳＬＯ光学系２００の各部を制御し、レーザー光出射部２１１からのレーザー光の出射、走査部２１６の駆動、受光素子２２５からの受光信号に基づく被検眼Ｅの正面画像の生成および表示を行う。また、制御部７０は、指標形成光学系４００の光源ユニット４０１からアライメント光を出射させる。本実施形態では、ＳＬＯ光学系２００を用いて取得される被検眼Ｅの正面画像が、アライメントに利用される。以下の説明では、検者によるマニュアルアライメントが正面画像を利用して行われる場合について説明する。
【００６０】
検者は、モニタ７５上に前眼部像が映し出されるように、撮影部１０を被検者から離れた位置に配置する。検者は、前眼部像の瞳孔中心とモニタ７５の画面中心とが重なるように、被検眼Ｅと光学系とのＸＹ方向の相対的な位置関係をラフに調節する。前述したように本実施形態において、検者はＸ方向の位置調節を移動台１３の移動によって行い、Ｙ方向の位置調節を上下動機構によって行う。
【００６１】
その後、検者は、正面画像を観察しながら、装置を被検眼Ｅへ近付ける。モニタ７５の画面上では瞳像が表示され、やがて眼底像が映し出されるようになる。この場合、適正な作動距離付近まで被検眼Ｅに装置を近づけると、指標形成光学系４００からのアライメント光に基づくアライメント指標像（例えば、第２のアライメント指標像）Ｐが、モニタ７５上に映し出される（図５参照）。ここで、アライメント光は、走査部２１６と対物レンズ系２１７との間で投光光学系２１０の光路に合流されることによって被検眼Ｅの角膜面に投影される。よって、本実施形態において、アライメント光は、角膜面において走査部２１６の動作に関わらず静止する。よって、モニタ７５の画面上には、静止した状態のアライメント指標像Ｐが示される。検者は、このアライメント指標像Ｐを参考にして被検眼Ｅへのアライメントを行うことができる。特に、本実施形態では、上記の指標形成光学系４００の配置によってアライメントの基準となる指標像Ｐが静止しするため、正確な位置合わせが容易である。
【００６２】
例えば、検者は、アライメント指標像Ｐの結像状態を参考にして撮影部１０と被検眼Ｅとの間隔を適正な作動距離となるように調節してもよい。検者は、アライメント指標像Ｐのピントがあうように、撮影部１０を前後に移動させることでアライメントを行う。
【００６３】
また、検者は、アライメント指標像Ｐの形成位置を参考にして、被検眼Ｅに対する撮影部１０の上下左右方向に関するアライメントを行ってもよい。検者は、アライメント指標像が所定の位置に形成されるように、撮影部１０を上下左右方向に移動させることでアライメントを行う。なお、アライメント指標像Ｐを用いたＺアライメント、ＸＹアライメントは、別々或いは並列的に行われる。
【００６４】
なお、以下に、図４の指標形成光学系を用いた場合の動作について詳細に説明する。作動距離付近において撮影部１０を被検眼Ｅに近づけていくときに、アライメント指標像Ｐ１が最初に観察される。本実施形態において、アライメント指標像Ｐ１は、下側に底辺を持つ三角形の各頂点に配置される輝点からなるパターンである（図６（ａ）参照）。アライメント指標像Ｐ１は、最も被検眼Ｅ側の面ｎ上に配置される光源４０１ｂ，４０１ｇ，４０１ｉが、中間点Ｃと共役な位置に配置されることによって形成される。このとき、実際のＳＬＯ画像では、撮影部１０が被検眼Ｅに近づくに従って、画像の周辺部が明るくなっていく。
【００６５】
アライメント指標像Ｐ１の呈示位置よりも被検眼側に撮影部１０が近づくと、アライメント指標像Ｐ１は不明瞭になり、代わりに、アライメント指標像Ｐ１とはパターンの異なるアライメント指標像Ｐ２が観察されるようになる（図６（ｂ）参照）。本実施形態において、アライメント指標像Ｐ２は、横一直線に並んだ３つの輝点からなるパターンである。アライメント指標像Ｐ２は、面ｍ上に配置される光源４０１ｄ，４０１ｅ，４０１ｆが、中間点Ｃと共役な位置に配置されることによって形成される。このとき、アライメント指標像Ｐ２の明確になるほど、実際のＳＬＯ画像では画像の周辺部が明るくなっていく。明確なアライメント指標像Ｐ２が得られたときに被検眼Ｅと測定部１０との間隔は適正作動距離に設定され、周辺部が最も明るいＳＬＯ画像が観察され得る。
【００６６】
アライメント指標像Ｐ２の呈示位置よりも更に被検眼側に撮影部１０が近づくと、アライメント指標像Ｐ２は不明瞭になり、代わりに、アライメント指標像Ｐ１およびＰ２とはパターンの異なるアライメント指標像Ｐ３が観察されるようになる（図６（ｃ）参照）。本実施形態において、アライメント指標像Ｐ３は、上側に底辺を持つ三角形の各頂点に配置される輝点からなるパターンである。アライメント指標像Ｐ３は、面ｌ上に配置される光源４０１ａ，４０１ｃ，４０１ｈが、中間点Ｃと共役な位置に配置されることによって形成される。アライメント指標像Ｐ３の呈示位置よりも更に撮影部１０が被検眼側に近づいていくと、いずれのパターンのアライメント指標像も不鮮明になり、やがて観察できなくなる。このとき、実際のＳＬＯ画像では、撮影部１０が被検眼Ｅに近づくに従って、画像の周辺部が暗くなっていく。
【００６７】
本実施形態では、アライメント指標光源が、指標形成光学系４００の光軸Ｌ４方向に関して複数設けられているので、アライメント指標光源が、光軸Ｌ４方向の１つの位置にしか設けられていない場合と比べて、作動距離方向の広い範囲にて、アライメント指標像を利用することができる。
【００６８】
例えば、本実施形態では、作動距離が適正であるときに角膜の曲率半径の中心および角膜面の中間点Ｃと共役な位置関係となる平面ｍだけでなく、光軸方向にて平面ｍの近傍に位置する平面ｌおよび平面ｎにも設けられている。その結果として、適正な作動距離の近傍においてもアライメント指標像が観察できる。よって、例えば、検者は、アライメント指標像を見つけやすく、見失い難い。よって、アライメントを良好に行うことができる。例えば、一つの平面から出射されたアライメント光の角膜反射像が、装置がＺ方向に０．５ｍｍ移動する間だけ観察可能なものであるとすると、本実施形態では、３枚の平面を用いるので、アライメント指標像Ｐは最大で、１．５ｍｍの範囲で観察できるようになる。
【００６９】
また、本実施形態では、第１のアライメント光源と第２のアライメント光源とは、さらに、光軸Ｌ４に直交する方向に関して異なる位置に配置されている。例えば、本実施形態では、適正な作動距離にて第１のアライメント光源によって示されるアライメント指標像Ｐ２のパターンと、適正な作動距離の前後にて示されるアライメント指標像Ｐ１およびＰ３のパターンが異なる。従って、本実施形態では、検者はアライメント指標像のパターンに従って、適正な作動距離まで装置の移動を容易に行うことができる。
【００７０】
また、測定部１０と被検眼Ｅとの間隔が適正な作動距離よりも長い場合において示されるアライメント指標像Ｐ１と、適正な作動距離よりも短い場合において示されるアライメント指標像Ｐ３とのパターンが異なるので、検者は、作動距離を適正に調節するには前後いずれの方向に装置を移動させればよいかを容易に把握できる。
【００７１】
次に、被検眼Ｅの屈折力により眼底像がボケるときは、レンズ２１４を移動させて、眼底にピントが合うようにする。なお、眼底のピント合わせは、スプリット輝線などの周知のフォーカス視標等に従う構成でも良い。
【００７２】
以上のアライメントの結果として、本実施形態の眼底撮影装置１では、ＯＣＴ光学系１００およびＳＬＯ光学系２００を用いて、眼底の断層画像および正面画像の良好な観察および撮影が可能となる。
【００７３】
以上に示したように、指標形成光学系４００によって、ＳＬＯ画像上にアライメント指標が形成され、そのアライメント指標を利用して測定部１０と被検眼Ｅとの位置関係を調節できるので、眼底の正面画像を撮影する光学系とは別に、アライメント用の前眼部撮影ユニット（例えば、前眼部撮影光学系）を、必ずしも設けなくてもよい。例えば、本実施形態の眼底撮影装置１は、前眼部撮影ユニットを有していないので、装置全体をコンパクトがコンパクトに構成される。その結果、例えば、被検眼Ｅの観察および撮影等を、検者が被検者の様子を見ながら行いやすいので、検者から被検者に指示等を行いやすく、観察および撮影等を行いやすい。
【００７４】
なお、眼底の画像の撮影（キャプチャー）が行われる場合において、制御部７０は、アライメント光源４０１ａ〜４０１iを消灯させることによって、アライメント指標像が映り込んでいない撮影画像を取得してもよい。この場合、例えば、制御部７０は、操作部７２からのキャプチャー信号に基づいてアライメント光源４０１ａ〜４０１iを消灯させる。その結果として、撮影画像を用いた被検眼Ｅの観察診断を良好に行うことができる。
【００７５】
また、観察時にも、検者からの指示に応じてアライメント光源４０１ａ〜４０１iの点灯状態（例えば、ＯＮ／ＯＦＦ）が切り替わる構成であってもよい。この場合、例えば、制御部７０は、操作部７２からの光源切り替え信号に基づいてアライメント光源４０１ａ〜４０１iの点灯状態を切り替える。この場合、アライメント指標像に遮られることなく、被検眼Ｅの観察を良好に行うことができる。
【００７６】
＜ＯＣＴ光学系による断層画像の取得＞
被検眼Ｅに対する装置のアライメントが完了されると、断層像及び正面像の取得が開始される。本実施形態において、制御部７０は、ＯＣＴ光学系１００及びＳＬＯ光学系２００を駆動制御して、ＯＣＴ画像及びＳＬＯ画像の各画像を１フレーム毎に取得していき、モニタ７５を表示制御してＯＣＴ画像及びＳＬＯ画像を随時更新する。
【００７７】
制御部７０は、光スキャナ１０８及び固視標投影ユニット３００の少なくとも何れかの動作を制御することにより、測定光の眼底上での照射位置を変更する。そして、制御部７０は、撮像領域として設定された眼底領域における断層画像を得る。
【００７８】
＜撮影部位の判定＞
図７は、ＯＣＴ光学系１００によって得られた断層像の例を示す図である。制御部７０は、画像解析部を有する。画像解析部は、例えば、取得された断層像における眼底の層情報を画像処理によって検出すると共に、所定の画像判定条件（判定基準）を基に各層の検出結果を解析し、撮影部位が正常か否かを判定する。そして、制御部７０は、判定結果に基づいて断層像に対する解析結果を得る。そして、解析結果は、メモリ７２、又は外部のメモリ（例えば、パーソナルコンピュータのメモリ、サーバーのメモリ）に断層像と共に記憶される。
【００７９】
層情報を検出する場合、例えば、断層像の輝度レベルが検出され、所定の網膜層（例えば、網膜表面と網膜色素上皮層）に相当する層境界が画像処理により抽出される。そして、層境界の間隔が計測されることにより、層厚が計測される。
【００８０】
断層像を判定する場合、各層の層厚判定、形状判定、所定部位（例えば、乳頭、黄斑）のサイズ判定等が考えられ、正常眼における各層の間隔、所定部位の形状、所定部位のサイズ、等を記憶する正常眼データベースが画像判定条件のベースとして利用される。つまり、正常眼データベースには、適正な作動距離において予め測定された正常眼に関する各種のデータ（例えば、正常眼の形状データ）が格納されている。正常眼データベースは、例えば、メモリ７２に記憶される。本実施形態では、被検眼Ｅに対する装置の位置が適正な作動距離に調節されることによって、正常眼データベースを利用した各種解析を良好に行うことができる。
【００８１】
例えば、制御部７０は、横断方向における各位置の層厚を計測し、計測結果が正常眼データベースにおける所定範囲（例えば、正常眼の計測値に対応する正常範囲）内であるかを判定する。そして、制御部７０は、層厚が正常範囲内と判定された部分を正常と判断する。一方、層厚が所定範囲外と判定された部分を異常と判断する。これにより、断層像中における異常部位が特定される。
【００８２】
前述したように、本実施形態の眼底撮影装置１では、アライメント指標を用いた前述のアライメントが行われることによって、ＯＣＴ光学系１００は被検眼Ｅに対して適正作動距離に設定される。その結果として、眼底撮影装置１では、撮影毎のＯＣＴ画像の撮影倍率（即ち、撮影範囲）が安定化されるので、一例として上記に示したようなＯＣＴ画像を用いた被検眼Ｅの解析を適正に行いやすい。
【００８３】
また、本実施形態では、ＳＬＯ光学系２００とＯＣＴ光学系１００との適正作動距離が共通しているので、ＳＬＯ画像の解析と、ＯＣＴ画像の解析とを、容易に、且つ、良好に行うことができる。
【００８４】
＜指標形成光学系の第２実施形態＞
次に、本開示の第２実施形態に係る指標形成光学系４００を、図８を参照して説明する。図８の例における指標形成光学系４００は、ＳＬＯ画像撮像用の受光素子２２５とは別体に設けられた撮像素子１４０５によって、アライメント指標像を撮像する。つまり、ＳＬＯ光学系２００で得られるＳＬＯ画像と、作動距離方向に関するアライメント状態を示すアライメント指標像とが、別々の画像として取得される。これにより、例えば、ＳＬＯ画像を撮像するために利用されるレーザー光の波長と、アライメント光の波長とを、互いに異なる波長とすることができる。詳細は後述するが、その結果として、アライメント指標像と、ＳＬＯ画像とを、それぞれ十分な光量で撮像することが容易になる。
【００８５】
図８の例における指標形成光学系４００は、光源１４０１と、撮像素子１４０５と、を少なくとも備える。また、図８の例における指標形成光学系４００は、光路結合部（一例として、ダイクロイックミラー１４０６）、アパーチャ１４０３、および、結像レンズ１４０４、を備えてもよい。
【００８６】
光源１４０１は、アライメント光を被検眼Ｅの角膜に投影するために利用される。図８の例において、光源１４０１は、ＳＬＯ撮影用の光源２１１から出射される光とは、異なる波長域の光を、アライメント光として出射する。
【００８７】
光源１４０１は、光源本体（例えば、ＬＥＤ）と光ファイバとが含まれ、光ファイバの出射端の位置が、アライメント光源の位置となる。第１実施形態と同様、適正作動距離においてアライメント光源は中間点Ｃと共役な位置に配置される。光ファイバの出射端は、指標形成光学系４００の光軸から間隔を空けて配置される。なお、光ファイバの出射端は、図８に示すように、アパーチャ１４０３における遮光部前面（被検眼側の面）に形成されてもよい。この場合、光源１４０１（アライメント光源）と、アパーチャ１４０３と、が一体的な光源ユニットとして構成されていてもよい。また、第１実施形態のように、指標形成光学系４００の光軸Ｌ１方向に関して異なる位置に、アライメント光源が複数設けられた構成が、第２実施形態に対して適用されてもよい。
【００８８】
光源１４０１から出射されるアライメント光の投光光路は、光路結合部（符号１４０６の部材）によって、照射光学系２１０の光路と結合される。図８の例では、ＳＬＯ画像を撮像するために利用されるレーザー光の波長と、アライメント光の波長とが、互いに異なる波長域の光であるので、光路結合部（符号１４０６の部材）として、例えば、光路結合の際の光量のロスが少ないビームスプリッタを採用することができる。ここでは、光路結合部として、光源１４０１からのアライメント光を反射し、光源ユニット２１１からのレーザー光を透過する分光特性を持つ、ダイクロイックミラー１４０６が適用されているものとする。
【００８９】
光路結合部（ダイクロイックミラー１４０６）で反射されたアライメント光は、対物レンズ系２１７を介して角膜へ投影される。そして、アライメント光の角膜反射光は、投光時の光路（照射光学系２１０と受光光学系２２０ｂとの共通光路）を遡って、再度、光路結合部（ダイクロイックミラー１４０６）へ入射する。
【００９０】
ここで、光路結合部（ダイクロイックミラー１４０６）は、レーザー光の眼底反射光の光路（換言すれば、受光光学系２２０ｂの光路）と、アライメント光の角膜反射光の光路を分岐させる光路分岐部を兼用する。即ち、ここでは、光路結合部（ダイクロイックミラー１４０６）によって、アライメント光の角膜反射光は、指標形成光学系４００の独立光路へ導かれ、レーザー光の眼底反射光は、受光素子２２５側に導かれる。このとき、光路結合部（ダイクロイックミラー１４０６）における上記の分光特性によって、それぞれの角膜反射光における光量のロスは抑制される。
【００９１】
光路結合部（ダイクロイックミラー１４０６）で反射されたアライメント光の角膜反射光は、光源１４０１の背後に設けられたアパーチャ１４０３に照射される。
【００９２】
アパーチャ１４０３は、遮光部１４０３ａと、開口１４０３ｂとを含む。開口１４０３ｂは、指標形成光学系４００の光軸を取り囲む領域に形成される。アライメント光の角膜反射光のうち、開口１４０３ｂを通過した一部が、撮像素子１４０５に導かれる。また、遮光部１４０３ａは、光源１４０１からのアライメント光が、直接的に撮像素子１４０５に入射することを妨げる。このように、図８の例では、指標形成光学系４００において、アライメント光の投光時の光路と、アライメント光の角膜反射光の受光時の光路と、が、アパーチャ１４０３によって分離される。アライメント光の投光時の光路と、アライメント光の角膜反射光の受光時の光路と、の分離には、例えば、ハーフミラーを用いてもよいが、図８の例のように、アパーチャ１４０３を利用した場合のほうが、光量のロスを低減しやすく、結果として、アライメント指標像が良好に撮像されやすくなる。
【００９３】
開口１４０３ｂを経たアライメント光の角膜反射光は、結像レンズ１４０４を経て、撮像素子１４０５で受光される。
【００９４】
撮像素子１４０５は、ＳＬＯ画像撮像用の受光素子２２５とは別体に設けられる。撮像素子１４０５によって、アライメント指標像が撮影される。また、撮像素子１４０５は、被検眼Ｅと眼底撮影装置１とが適正作動距離である場合における眼底共役位置に配置される。より詳細には、正視眼における眼底共役位置に、撮像素子１４０５は配置される。
【００９５】
このような光学配置により、作動距離方向のアライメント状態に応じた結像状態で、アライメント指標像が撮像素子１４０５によって撮像される。このとき、図８の例では、光路結合部（符号１４０６の部材）による光量のロスが抑制されているため、良好なアライメント指標像が得られやすい。
【００９６】
なお、アライメント指標像を含む撮像素子１４０５で得られる撮像画像は、制御部７０によって、随時、モニタ７５に表示される。このとき、アライメント指標像と共に、ＳＬＯ光学系２００によって撮像されるＳＬＯ画像（ライブ画像）が、モニタ７５上に一緒に表示されてもよい。ＳＬＯ画像（ライブ画像）とアライメント指標像とは、画面上の互いに異なる位置において、並べられた状態で表示されてもよいし、ＳＬＯ画像上にアライメント指標像が重畳表示（例えば、合成表示）されてもよい。
【００９７】
また、図８の例において、光路結合部（符号１４０６の部材）は、照射光学系２１０における視度補正部（例えば、レンズ２１４および駆動機構２１４ａ等）と対物レンズ系２１７との間の光路に配置される。これにより、アライメント指標像の結像状態は、視度補正の状態の影響を受けなくなる。このため、作動距離の調整が、効率よく行われやすくなる。
【００９８】
なお、図８に示した光学系では、照射光学系２１０（より詳細には、照射光学系２１０と受光光学系２２０との共通光路）上に配置された光路結合部（ダイクロイックミラー１４０６）によって結合される１つの光路を介して、アライメント光の投光と、撮像（検出）が行われる。しかし、必ずしもこれに限られるものではない。例えば、ライメント光の投光を行うための光路と、撮像（検出）とを行うための光路と、が照射光学系２１０にそれぞれ異なる位置で結合されていてもよい。
【００９９】
＜変容例＞
以上、実施形態に基づいて説明を行ったが、本開示は、上記実施形態に限定されることなく、種々の変形が可能である。
【０１００】
例えば、第１実施形態では、所定の作動距離において中間点Ｃと共役な位置からアライメント光を出射する第１のアライメント光源（つまり、光源４０１ｄ〜４０１ｆ）と、指標形成光学系４００の光軸方向にて第１のアライメント光源の前後からアライメント光を出射する第２のアライメント光源（つまり、光源４０１ａ〜４０１ｃ，４０１ｇ〜４０１ｉ）と、を有する場合について説明した。しかし、必ずしもこれに限られるものではなく、光源ユニット４００は、所定の作動距離において中間点Ｃと共役な位置（またはその近傍位置）にある１つの平面上だけからアライメント光を出射する構成であってもよい。
【０１０１】
特に、第１実施形態では、第１のアライメント光源よりも光軸方向前方（被検眼側）に配置される光源４０１ｂ，４０１ｇ，４０１ｉと、第１のアライメント光源よりも後方に配置される光源４０１ａ，４０１ｃ，４０１ｈと、の両方が光源ユニット４０１に設けられている。しかし、必ずしもこれに限られるものではなく、いずれか一方が設けられていてもよい。
【０１０２】
また、第１実施形態では、アライメント指標像のパターンが被検眼Ｅと装置との位置関係に応じて異なる場合について説明したが、必ずしもこれに限られるものではなく、少なくともいずれか２つの指標像のパターンが同一であってもよい。
【０１０３】
また、第各実施形態において、アライメント光源の設置位置は、中間点Ｃと略共役な位置であればよく、必ずしも上記実施形態の設置位置に限定されない。例えば、図９に示すように、中間点Ｃと略共役な位置として、アライメント光源（図９では、符号４０１で示す）が走査部２１６の近傍に配置されてもよい。より詳細には、アライメント光源が、光軸Ｌ３上にて光スキャナ２１６ａを挟んで被検眼Ｅと向き合うように配置されると共に、光スキャナ２１６ａの反射ミラーにハーフミラーが使用される。この場合、アライメント光を角膜に投影するために、走査部２１６と被検眼Ｅとの間の光路に光路分岐部４０３，１４０６を設けなくてもよい。
【０１０４】
また、上記各実施形態では、アライメント光を出射する光源の具体例は、光源本体（例えば、ＬＥＤ）と光ファイバとの組み合わせに限定されるものではない。例えば、光ファイバに代えて、ピンホールが適用されてもよいし、光源本体のみの構成であってもよい。一例として、ピンホールが適用された例を、図１０に示す。光源ユニット５０１は、光源本体５０２（例えば、ＬＥＤ）とピンホール５０３とを含む。図１０（ａ）に示すように、ピンホール５０３は、光スキャナ２１６ａの反射ミラーに形成されてもよい。この場合、光源本体５０２が、光軸Ｌ３上にて光スキャナ２１６ａを挟んで被検眼Ｅと向き合うように配置されてもよい。ピンホール５０３を通過した光によって、被検眼Ｅの角膜上にアライメント指標像が形成される。
【０１０５】
なお、図１０（ｂ）に示すように、反射ミラーの回転中心（支点）から離れた位置にピンホール５０３が設けられている場合、ピンホール５０３は、光スキャナ２１６ａの動作に応じて光軸Ｌ３方向に繰り返し変位される。その結果として、被検眼Ｅに対し撮影部１０が適正な作動距離にある場合だけでなく、適正作動距離の近傍においてもアライメント指標像が観察され得る。よって、例えば、検者は、アライメント指標像を見つけやすく、見失い難い。
【０１０６】
また、上記各実施形態において、指標形成光学系４００は、ＳＬＯ光学系２００と共に使用される場合について説明したが、指標形成光学系４００は、眼底カメラと共に使用されてもよい。つまり、所定の作動距離において中間点Ｃと共役な位置からアライメント光を出射する第１のアライメント光源と、アライメント指標光学系４００の光軸方向にて第１のアライメント光源の前後からアライメント光を出射する第２のアライメント光源と、を眼底カメラ等の他の眼底撮影装置の光学系に設けてもよい。眼底撮影装置は、光源から発せられた光を眼底に投光する投光光学系、および、投光光学系から投光される光に伴って被検眼Ｅの眼底から出射される光を受光素子で受光する受光光学系と、を光学系の基本構成として有する。また、眼底カメラは、例えば、被検眼Ｅの眼底を照明する照明光を投光する投光光学系（照明光学系）と、該投光光学系によって照明された眼底を撮影する受光素子（二次元撮像素子）を持つ受光光学系（撮影光学系）と、を光学系の基本構成として有する。なお、眼底カメラに指標形成光学系４００を設ける場合、上記実施形態のように、アライメント光を投光光学系の光路に合流する合流部材（例えば、ハーフミラー４０３）の構成は必ずしも必要とされない。よって、光源ユニット４０１は、投光光学系と受光光学系との光路分岐部材（例えば、穴開きミラー）の近傍に配置されていてもよい。
【０１０７】
また、上記各実施形態において、指標形成光学系４００は、中間点Ｃと略共役な位置に配置されたアライメント光源を持ち、眼底共役位置に配置される検出器にアライメント指標像を結像させるものとして説明したが、必ずしもこれに限定されるものではない。例えば、指標形成光学系４００は、適正作動距離における前眼部共役位置（例えば、角膜共役位置、瞳孔共役位置など）に配置された撮像素子を持ち、アライメント光の角膜反射像であるアライメント指標像（プルキンエ像）を撮像素子で撮像する構成であってもよい。この場合、アライメント光は、上記各実施形態と同様に、照射光学系２１０を介して角膜へ投影されてもよい。また、図１１に示すように、対物レンズ２１７の周辺に、アライメント光源（図１１では、符号６０１で示す）が配置されてもよい。
【０１０８】
また、上記実施形態では、指標形成光学系４００によって形成されるアライメント指標が、検者によって観察され、検者によるマニュアルアライメントに用いられる場合について説明した。しかし、必ずしもこれに限られるものではない。例えば、アライメント指標を制御部７０が検出する構成であってもよい。アライメント指標の検出結果は、被検眼Ｅに対する撮影光学系（例えば、ＳＬＯ光学系２００又は、ＯＣＴ光学系１００等）のアライメント状態を検出するために利用されてもよい。なお、アライメント状態の検出結果は、モニタ７５上でのガイド表示、あるいは自動アライメントに用いられてもよい。
【０１０９】
また、上記実施形態では、ＯＣＴ画像の解析が行われる場合について説明したが、眼科撮影装置１では、ＳＬＯ画像に対する解析（例えば、眼底の寸法計測等）が行われてもよい。この場合も、アライメント指標像を用いたアライメントが適正に行われることによって、ＳＬＯ画像の撮影倍率（即ち、撮影範囲）が安定化されるので、画像解析を適正に行いやすい。
【０１１０】
また、上記実施形態では、眼底撮影装置１にＯＣＴ光学系１００を備える場合について説明したが、ＯＣＴ光学系１００は、本開示の技術を実施するうえで、ＯＣＴ光学系１００は必須でない。
【符号の説明】
【０１１１】
１        眼底撮影装置
１００    ＯＣＴ光学系
１０９    ダイクロイックミラー
２００ａ    走査型眼底撮影光学系
２１０    照射光学系
２１１    レーザー光出射部
２１６    走査部
２２０    受光光学系
２２５    受光素子
４００    アライメント指標形成光学系
４０１ａ〜４０１ｉ    アライメント光源
４０３      光路結合部
１４０１      アライメント光源
１４０５      撮像素子
１４０６      光路結合部
Ｅ        被検眼
Ｅｒ      眼底
Ｌ４      光軸
Ｌ３      光軸
Ｐ        アライメント指標
【図１】
2017127597.tif 000003
【図２】
2017127597.tif 000004
【図３】
2017127597.tif 000005
【図４】
2017127597.tif 000006
【図５】
2017127597.tif 000007
【図６】
2017127597.tif 000008
【図７】
2017127597.tif 000009
【図８】
2017127597.tif 000010
【図９】
2017127597.tif 000011
【図１０】
2017127597.tif 000012
【図１１】
2017127597.tif 000013